(57)【要約】【課題】セキュリティシステムの送信機において、ＩＤデータが改変される虞を少なくしてセキュリティ性を良くし、また、意匠性を良くする。【解決手段】送信機２は、ＩＤデータを記憶する記憶部２１と、ＩＤデータの送信を行なう通信部２２と、制御部２３と、電池２４を備えている。また、送信機２は記憶部２１等を収納する筐体５と、筐体５に固定される電池カバー６とを備えている。筐体５は、ケース５１とカバー５２とを有しており、ケース５１とカバー５２は固着具７によって固定されている。電池２４はカバー５２の表面に固定されており、電池カバー６は電池２４と固着具７を覆い隠す。電池カバー６によって固着具７が覆い隠されてカバー５２の開け方が察知されなくなり、カバー５２を開け難くなるので、ＩＤデータが改変される虞が少なくなりセキュリティ性が良くなる。また、固着具７が外部から見えないので送信機２の意匠性が良くなる。【選択図】図４
2010097397.tif 000002
【特許請求の範囲】
【請求項１】
ＩＤデータの送受信を行ない、該ＩＤデータに基づいて電気錠の開閉を行うセキュリティシステムの送信機において、
前記ＩＤデータを記憶する記憶部と、
前記ＩＤデータの送信を行なう通信部と、
前記通信部の動作を制御する制御部と、
前記記憶部、通信部及び制御部に電源を供給する電池と、
前記記憶部、通信部及び制御部を収納する箱体、及びそれを覆う蓋を有する筐体と、
前記蓋を覆うように前記筐体に固定されるカバーと、を備え、
前記蓋は前記箱体に固着具により固定され、
前記電池は前記筐体の表面に固定され、
前記カバーは前記電池と蓋の固着具を覆い隠すようにして固定されることを特徴とするセキュリティシステムの送信機。
【請求項２】
前記蓋は電池を固定する電池ボックスを表面に有し、
前記蓋とカバーの間に前記電池ボックスを囲う防水パッキンを備え、
前記カバーの周縁は、前記蓋に向けて折り返されていることを特徴とする請求項１に記載のセキュリティシステムの送信機。
【発明の詳細な説明】
【技術分野】
【０００１】
本発明は、ＩＤデータを送受信するセキュリティシステムの送信機に関する。
【背景技術】
【０００２】
従来から、扉の施錠のセキュリティシステムにおいて、ユーザが所持する送信機からのＩＤデータを受信機によって受信し、認証されたＩＤデータを受信した場合のみ、電気錠を開にするセキュリティシステムが知られている。これらの送信機は、ＩＤデータを記憶する記憶部と、ＩＤデータの送信を行なう通信部と、通信部の動作を制御する制御部と、制御部等に電源を供給する電池とを有している。これらの送信機において、電池は交換しやすいように簡単に取り出せるようになっているが、記憶部や制御部等を収納している筐体のカバーはＩＤデータの改変を防ぐために、一般には市販されていない特殊な固着具によってカバーがされているものがある。しかしながら、そのような送信機においては、固着具が表面に露出しているので、固着具が外されてＩＤデータが改変される虞がある。また、固着具が露出しているので、意匠性が悪い。
【０００３】
また、ベース本体とカバーケースの中に電池や電気回路や各種スイッチ等が収納され、ベース本体とカバーケースが係合部で固定されているワイヤレス送信機が知られている（例えば特許文献１参照）。
【０００４】
しかしながら、特許文献１に示されるようなワイヤレス送信機においては、電池交換のためにカバーケースが開けられたときに各種スイッチが操作され、送信するデータの設定が変更される虞がある。
【特許文献１】実開平１−８６３３１号公報
【発明の開示】
【発明が解決しようとする課題】
【０００５】
本発明は、上記問題を解消するものであり、ＩＤデータが改変される虞が少なくてセキュリティ性が良く、また、意匠性の良いセキュリティシステムの送信機を提供することを目的とする。
【課題を解決するための手段】
【０００６】
上記目的を達成するために請求項１の発明は、ＩＤデータの送受信を行ない、該ＩＤデータに基づいて電気錠の開閉を行うセキュリティシステムの送信機において、前記ＩＤデータを記憶する記憶部と、前記ＩＤデータの送信を行なう通信部と、前記通信部の動作を制御する制御部と、前記記憶部、通信部及び制御部に電源を供給する電池と、前記記憶部、通信部及び制御部を収納する箱体、及びそれを覆う蓋を有する筐体と、前記蓋を覆うように前記筐体に固定されるカバーと、を備え、前記蓋は前記箱体に固着具により固定され、前記電池は前記筐体の表面に固定され、前記カバーは前記電池と蓋の固着具を覆い隠すようにして固定されるものである。
【０００７】
請求項２の発明は、請求項１に記載のセキュリティシステムの送信機において、前記蓋は電池を固定する電池ボックスを表面に有し、前記蓋とカバーの間に前記電池ボックスを囲う防水パッキンを備え、前記カバーの周縁は、前記蓋に向けて折り返されているものである。
【発明の効果】
【０００８】
請求項１の発明によれば、電池カバーによって電池とカバーの固着具が覆い隠されてカバーの開け方が察知されなくなり、カバーを開け難くなるので、筐体の内部の記憶部が有するＩＤデータが改変される虞が少なくなり、セキュリティ性が良くなる。また、カバーの固着具が覆い隠されて外部から見えないので、送信機の意匠性が良くなる。
【０００９】
請求項２の発明によれば、電池ボックスが防水パッキンによって囲われているので、電池ボックスへの浸水が防止される。また、防水パッキンを挟むカバーの周辺が折り返されているので、カバーの剛性が向上し、カバーが蓋に強く固定されてもカバーの変形が少なくなり、従ってカバーと防水パッキンとの間に隙間が発生し難く、送信機の耐水性が向上する。
【発明を実施するための最良の形態】
【００１０】
（第１の実施形態）
本発明の第１の実施形態に係るセキュリティシステムについて図面を参照して説明する。図１はセキュリティシステムの構成を示す。セキュリティシステム１は、ユーザに所持されＩＤデータを送信するタグと呼ばれる送信機２と、送信機２から送信されたＩＤデータを読み取るタグリーダ３と、タグリーダ３にて判定されたデータを受信するコントローラ４１と、コントローラ４１によって開閉される電気錠扉４２と、を備えている。タグリーダ３は、ＩＤデータを読み取り認証されたデータか否かを判定するものであり、インターフェースＲＳ４８５等を経由してコントローラ４１に接続されている。コントローラ４１はイントラネット又は専用ＬＡＮを介してコンピュータ４３と接続されている。電気錠扉４２は許可されたユーザのみが入室できる部屋の入口扉に設置され、タグリーダ３は入口扉付近に設置される。タグリーダ３はＩＤデータが認証されたデータであるか否かを判定し、判定結果をコントローラ４１に送信する。コントローラ４１は判定結果がＯＫの場合には電気錠扉４２を開き、ＮＧの場合には電気錠扉４２を施錠された状態に保持する。コンピュータ４３は入室が制限された部屋の施錠を管理し、必要に応じて部屋の電気錠扉４２の開閉を行なう。
【００１１】
図２は上記のようなセキュリティシステム１における送信機２とタグリーダ３の各構成を示す。送信機２は、ＩＤデータを記憶する記憶部２１と、ＩＤデータをタグリーダ３に送信する通信部２２と、記憶部２１や通信部２２の動作を制御する制御部２３と、各部に電源を供給する電池２４と、ユーザにより操作され通信部２２にＩＤデータを送信するための送信釦２５を有している。通信部２２はＬＦ通信を行なうＬＦ帯送受信部２２ａと小電力無線信号を送信する小電力送信ＡＳＩＣ２２ｂを有している。タグリーダ３は、ＬＦ通信を行なうＬＦ帯送受信部３１と、小電力無線信号を受信する小電力受信部３２と、これらを制御する制御部３３と、を有する。
【００１２】
送信機２とタグリーダ３の間の通信は、ＬＦ通信帯（１３４ｋＨｚ帯）と特定小電力無線（４２６ＭＨｚ帯）とで行なわれる。送信機２がタグリーダ３から約１．５ｍ以内に入ると、通常スリープ状態にある送信機２は、タグリーダ３のＬＦ帯送受信部３１からのＬＦ起動信号をＬＦ帯送受信部２２ａで受信し起動する。起動した送信機２の制御部２３は、記憶部２１に記憶しているＩＤデータを小電力送信ＡＳＩＣ２２ｂからタグリーダ３へ送信する。タグリーダ３はＩＤデータを小電力受信部３２によって受信し、ＩＤデータが認証されたデータであるか否かを判定し、その結果をコントローラ４１へ送信する。このようにしてユーザがタグリーダ３に近づくだけで自動認証が行なわれ電気錠扉４２の開閉が行なわれる。また、ユーザが送信釦２５を押すと、制御部２３がＩＤデータを小電力送信ＡＳＩＣ２２ｂから送信し、手動認証が行なわれる。また、送信機２の電池２４の電圧が低下していても、送信機２をタグリーダ３から３０ｍｍ以内に近づけると、送信機２のＬＦ帯送受信部２２ａとタグリーダ３のＬＦ帯送受信部３１はＬＦ双方向通信を行なってＩＤデータを送受信し、近接認証（パッシブ認証）が行なわれる。
【００１３】
図３（ａ）（ｂ）は送信機２の外観を示し、図４及び図５は送信機２の分解構成を示す。送信機２は、筐体５と、筐体５に固定される電池カバー６（請求項でいうカバー）とを備える。電池カバー６が固定された筐体５は、全体として厚みの薄い直方体形状を成している。電池カバー６は筐体５に対して比較的容易に開閉自在とされている。筐体５は、ケース５１（請求項でいう箱体）と、ケース５１を覆うカバー５２（請求項でいう蓋）とを有し、電池カバー６は、カバー５２を覆うように固定される。ケース５１の表面には送信釦２５が設けられている。筐体５及び電池カバー６は、例えば樹脂成形により構成される。
【００１４】
ケース５１は、記憶部２１、通信部２２、及び制御部２３を収納している。記憶部２１、通信部２２、及び制御部２３は基板２６に搭載されている。カバー５２は、ケース５１に固着具７によって固定される。固着具７は、例えばネジであって、頭部７１に三角形の凹部７２を有しており、三角形の凸形状を有した専用の工具でないとネジ締めが行なえない。ケース５１は内底面に固着具７を受ける雌ねじ７３を有し、カバー５２は固着具７を通す貫通穴７４を有している。固着具７は貫通穴７４を貫通して雌ねじ７３に締め付けられる。カバー５２は、その上面（筐体の表面）側に電池ボックス５３を有しており、この電池ボックス５３に電池２４が固定され、電池２４はカバー５２の上側から交換することができるようになっている。
【００１５】
カバー５２は、電池カバー６を係止する開口部５２ａを有しており、電池カバー６は、開口部５２ａに挿入される係止片６ａを有している。係止片６ａは電池カバー６の端部から突出している。電池カバー６はネジ８によってカバー５２に固定される。ケース５１は内底面にネジ８を受ける雌ねじ８１を有し、ネジ８は電池カバー６とカバー５２にそれぞれ開けられた貫通穴８２、８３を貫通して雌ねじ８１に締め付けられる。電池カバー６が筐体５に固定されるときは、図５に示すように係止片６ａは開口部５２ａに挿入され、電池カバー６がネジ８によってカバー５２に固定され、電池カバー６によって電池２４と固着具７が隠される。
【００１６】
上記のように構成された本実施形態の送信機２においては、電池２４が交換されるとき、電池カバー６は開閉される。このように、固着具７が隠されてカバー５２の開け方が察知されなくなり、カバー５２を開け難くなるので、筐体５の内部の記憶部２１が有するＩＤデータが改変される虞が少なくなり、セキュリティ性が良くなる。また、固着具７が覆い隠されて外部から見えないので送信機２の意匠性が良くなる。
【００１７】
（第２の実施形態）
次に、本発明の第２の実施形態に係るセキュリティシステムの送信機２について図６（ａ）（ｂ）を参照して説明する。図６（ａ）は送信機２の分解構成を示し、図６（ｂ）は電池カバー６の裏側の外観を示す。第１の実施形態の送信機２と同一の構成については説明を省略する。本実施形態の送信機２は、第１の実施形態と異なり、電池ボックス５３及び基板２６を防水するための防水パッキン９１、９２を備えている。防水パッキン９１、９２は、水を通さない弾性体であり、例えばゴムより成っている。防水パッキン９１は、電池ボックス５３への浸水を防止するように電池ボックス５３を囲んで電池カバー６とカバー５２の間に設けられ、電池カバー６を介してネジ８によってカバー５２に締め付けられる。電池カバー６の周縁６１は、カバー５２に向けて折り返されており、電池カバー６の剛性が増している。このため、ネジ８によって締め付けられても電池カバー６の変形が少なく、電池カバー６及びカバー５２と防水パッキン９１との間に隙間が発生し難くなるので、浸水が防止される。
【００１８】
防水パッキン９２は、基板２６への浸水を防止するように基板２６を囲んでカバー５２とケース５１との間に設けられ、カバー５２を介して固着具７によってケース５１に締め付けられる。ケース５１の周縁５１ａはカバー５２に向けて折り返されており、ケース５１の剛性が増している。このため、上述と同様に浸水が防止される。
【００１９】
上記のように構成された本実施形態の送信機２においては、上記実施形態による作用効果に加えて送信機２の耐水性が向上する。
【００２０】
（第３の実施形態）
次に、本発明の第３の実施形態に係るセキュリティシステムの送信機２について図７乃至図９を参照して説明する。図７（ａ）（ｂ）は、送信機２の外観を示し、図８（ａ）は送信機２の電池カバー６が取り外された状態を示し、図８（ｂ）は第２の係止片の形状を示す。第２の実施形態の送信機２と同一の構成については説明を省略する。本実施形態の送信機２は、第２の実施形態とは電池カバー６の筐体５への固定構造が異なり、ネジ８を用いることなく、電池カバー６に設けた第２の係止片６ｂとカバー５２に設けた第２の開口部５２ｂとの係止によって固定される。すなわち、カバー５２は、電池カバー６を係止する複数（この例では４つ）の第２の開口部５２ｂを有している。電池カバー６は、これら第２の開口部５２ｂのそれぞれに係止される第２の係止片６ｂを有している。第２の係止片６ｂは、電池カバー６の裏面からカバー５２側に突出しており、第１の係止片６ａのある方向に向いて突出した楔形状の突部６ｃを有し、突部６ｃが第２の開口部５２ｂに挿し込まれることで係止される。この挿し込みは、電池カバー６及び第２の係止片６ｂの撓み得る材質及び形状により実現される。上記の係止により、電池カバー６はネジを用いることなく筐体５に固定される。
【００２１】
図９（ａ）は電池カバー６が開かれた状態を、図９（ｂ）は電池カバー６が閉じられた状態を、図９（ｃ）は電池カバー６が撓んだ状態を示す。電池カバー６が閉じられるときは、図９（ａ）に示すように、電池カバー６の第１の係止片６ａが第１の開口部５２ａに挿入され、第１の係止片６ａを起点としてＡ方向に電池カバー６が回動され押圧される。すると、第２の係止片６ｂが第２の開口部５２ｂに挿入され、係止される。
【００２２】
電池カバー６が開けられるときは、図９（ｂ）に示すように、第１の係止片６ａを起点にして電池カバー６の下端がＢ方向に回動される。このとき、図９（ｃ）に示すように、電池カバー６がＢ方向に撓むので、第２の係止片６ｂはＣ方向に変形し、突部６ｃが第２の開口部５２ｂから外れる。このＣ方向への変形は、第１の係止片６ａから離れた第２の係止片６ｂの方が第１の係止片６ａに近い第２の係止片６ｂより大きいので、第１の係止片６ａから離れた第２の係止片６ｂから順に第２の開口部５２ｂとの係止が外れ、容易に電池カバー６が開かれる。
【００２３】
上記のように構成された本実施形態の送信機２においては、第２の係止片６ｂの突部６ｃが全て第１の係止片６ａのある方向に向いて突出されているので、電池カバー６が閉じられるときには強固にカバー５２に固定され、電池カバー６が開かれるときには容易に開くことができる。また、４つの第２の係止片６ｂで係止しているので防水パッキン９１の反発力を上回る力で電池カバー６をカバー５２に強く固定することができ、また、係止している力が４箇所に分散されるので、電池カバー６の係止による変形が少なくなり、浸水をさらに防止することができる。また、筐体５に電池カバー６を固定するための固定具に相当する部材が全く外観からは見えず、不用意に電池カバー６が外されることがなくなり、セキュリティ上及び意匠上において優れている。
【００２４】
なお、本発明は、上記各種実施形態の構成に限られず、発明の趣旨を変更しない範囲で種々の変形が可能である。例えば、固着具７がネジの場合、頭部７１は三角形の凹部以外の形状でもよい。また、固着具７はネジに限られず例えばピンでもよい。また、第２の係止片６ｂの先端の形状は第３の実施形態のような楔形状でなく、突部６ｃが例えば球状に膨らんだような形状でもよい。また、電池２４はカバー５２の上面に固定される構成の他、例えば、ケース５１の外底面に固定され、電池カバー６が筐体５の当該外底面を含めて覆い隠すように設けられてもよい。また、防水パッキン９１、９２は電池カバー６やケース５１と同時に二色成形によって成形してもよい。
【図面の簡単な説明】
【００２５】
【図１】本発明の第１の実施形態に係るセキュリティシステムの構成図。
【図２】同セキュリティシステムの送信機とタグリーダの構成図。
【図３】（ａ）は同セキュリティシステムの送信機を斜め上方から見た外観図、（ｂ）は同送信機を斜め下方から見た外観図。
【図４】同送信機の分解斜視図。
【図５】同送信機の電池カバーを外したときの斜視図。
【図６】（ａ）は本発明の第２の実施形態に係るセキュリティシステムの送信機の分解斜視図、（ｂ）は電池カバーの裏面の斜視図。
【図７】（ａ）は本発明の第３の実施形態に係るセキュリティシステムの送信機を斜め上方から見た外観図、（ｂ）は同送信機を斜め下方から見た外観図。
【図８】（ａ）は同送信機の電池カバーを外したときの斜視図、（ｂ）は同送信機の第２の係止片の側面図。
【図９】（ａ）は同送信機の電池カバーを外したときの断面図、（ｂ）は同送信機の電池カバーを閉じたときの断面図、（ｃ）は同送信機の電池カバーの断面図。
【符号の説明】
【００２６】
１  セキュリティシステム
２  送信機
２１  記憶部
２２  通信部
２３  制御部
２４  電池
５  筐体
５１  ケース（箱体）
５２  カバー（蓋）
６  電池カバー（カバー）
７  固着具
９１、９２  防水パッキン
【図１】
2010097397.tif 000003
【図２】
2010097397.tif 000004
【図３】
2010097397.tif 000005
【図４】
2010097397.tif 000006
【図５】
2010097397.tif 000007
【図６】
2010097397.tif 000008
【図７】
2010097397.tif 000009
【図８】
2010097397.tif 000010
【図９】
2010097397.tif 000011